(57)【要約】【課題】記念品に好適で、しかも有用で且つ意匠性、装飾性に優れたアクセサリーを提供する。【解決手段】アクセサリー本体１４を、２個のリング１２，１３を連結して構成する。２個のリング１２，１３の外周面のそれぞれにカレンダー表示１８を設ける。カレンダー表示１８は、リング１２，１３の外周面に刻印された月及びその月の日及び曜日を構成する複数の文字及び数字から構成されており、特定日である４日（月曜日）に対応する部分には、日及び曜日の刻印に代えて装飾部材としての宝石２０を埋め込んでいる。【選択図】図１
0003129247.tif 000002
【実用新案登録請求の範囲】
【請求項１】
a)アクセサリー本体と、
b)前記アクセサリー本体の表面に設けられ、少なくともひと月分の日及び曜日を表す文字又は／及び数字から成るカレンダー表示と、
を備えたことを特徴とするアクセサリー。
【請求項２】
カレンダー表示は、特定日を含む月の日及び曜日を表す複数の文字又は／及び数字から構成され、前記特定日には他の日と異なる文字又は／及び数字が用いられていることを特徴とする請求項１に記載のアクセサリー。
【請求項３】
カレンダー表示は、特定日を含む月の日及び曜日を表す複数の文字又は／及び数字から構成され、前記特定日には装飾部材が用いられていることを特徴とする請求項１に記載のアクセサリー。
【請求項４】
前記アクセサリー本体は円柱状を成し、前記アクセサリー本体の外周面にカレンダー表示が設けられていることを特徴とする請求項１ないし３のいずれかに記載のアクセサリー。
【請求項５】
前記カレンダー表示は、円環状の曜日表示部及び前記曜日表示部の下部又は上部に位置し前記曜日表示部に対して相対的に回動可能な円環状の日にち表示部から構成され、
前記曜日表示部には曜日が横一列に並べて表示され、前記日にち表示部にはひと月分の日にちを１週間分ずつ一組にして配列表示されていることを特徴とする請求項４に記載のアクセサリー。
【請求項６】
前記アクセサリー本体は連結された２個の環状部材から構成され、前記環状部材の少なくとも一方の外周面に前記カレンダー表示が設けられていることを特徴とする請求項１ないし３のいずれかに記載のアクセサリー。
【請求項７】
前記アクセサリー本体は、鎖で連結された２個の立方体状部材から構成され、前記立方体状部材の少なくとも一方の外面に前記カレンダー表示が設けられていることを特徴とする請求項１ないし３のいずれかに記載のアクセサリー。
【考案の詳細な説明】
【技術分野】
【０００１】
本考案は、記念品として好適なアクセサリーに関する。
【背景技術】
【０００２】
従来より、指輪やペンダント等のアクセサリーに結婚記念日や誕生日等の記念日の日付を刻印したものが提供されている。このような日付の刻印は、指輪の内周面やペンダントトップの裏面等の目立たない部分に施されていることが多く、アクセサリーの装着者以外の者に認識されることは殆どなかった。このため、せっかくアクセサリーに日付が刻印されていても、その日付を表す文字がアクセサリーの意匠性、装飾性に関与することはなく、また、日付自体の利用価値も低かった。
【考案の開示】
【考案が解決しようとする課題】
【０００３】
本考案が解決しようとする課題は、記念品に好適で、しかも有用且つ意匠性、装飾性に優れたアクセサリーを提供することである。
【課題を解決するための手段】
【０００４】
上記課題を解決するために成された本考案に係るカレンダー付きアクセサリーは、
a)アクセサリー本体と、
b)このアクセサリー本体の表面に設けられ少なくともひと月分の日及び曜日を表す文字又は／及び数字から成るカレンダー表示と、
を備えたことを特徴とする。
【０００５】
前記カレンダー表示を、誕生日や結婚記念日等の特定日を含む月の日及び曜日を表す複数の文字又は／及び数字から構成し、前記特定日について他の日と異なる文字又は／及び数字を用いたり、宝石や貴金属、真珠等の装飾部材を用いたりすると良い。このような構成によれば特定日を目立たせることができる。
【０００６】
前記カレンダー表示を、円環状の曜日表示部及び前記曜日表示部の下部又は上部に位置し前記曜日表示部に対して相対的に回動可能な円環状の日にち表示部から構成し、前記曜日表示部には曜日を横一列に並べて表示し、前記日にち表示部にはひと月分の日にちを１週間分ずつ一組にして配列表示しても良い。このような構成にすると、曜日表示部の曜日と日にち表示部の日にちを適宜組み合わせて所望する月のカレンダーを簡単に表示できる。
【考案の効果】
【０００７】
本考案に係るアクセサリーは、アクセサリー本体の表面に少なくともひと月分のカレンダー表示を設けたことから、記念品として好適であるだけでなく、カレンダー機能を有するアクセサリーとして有用である。また、アクセサリー本体の表面に設けられた多数の文字や数字によってアクセサリーの意匠性、装飾性を高めることができる。
【考案を実施するための最良の形態】
【０００８】
以下、本考案のいくつかの実施例について図面を参照して説明する。
図１は本考案の第１の実施例に係るアクセサリーの構成を示している。本実施例に係るアクセサリー１０は、９月４日の結婚記念日を祝う記念品であって、金属製、例えばステンレス製の２個のリング（環状部材に相当）１２，１３を連結して構成されたアクセサリー本体１４と、２個のリング１２，１３の内周部の両方に挿通されたステンレス製のチェーン１６とから構成されている。前記チェーン１６は、その両端部に取り付けられた留め金具（図示せず）を連結することにより環状となるように構成されている。
【０００９】
上記した２個のリング１２，１３の外周面にはカレンダー表示１８がそれぞれ設けられている。カレンダー表示１８は、リング１２，１３の外周面に刻印された９月及び９月の日及び曜日を構成する文字及び数字から構成されている。図１に示すアクセサリー１０では、９月の英語表記（SEPTEMBER)、曜日の略号を表す３文字のアルファベット（SUN,MON、TUE等）、日を表す数字（１〜３０）がリング１２，１３の外周面にそれぞれ刻印されている。日を表す数字は、その日に対応する曜日を表す文字と共にリング１２，１３の周方向に沿って並べられている。
【００１０】
カレンダー表示１８のうち特定日である結婚記念日に対応する部分には、日及び曜日の刻印に代えて装飾部材としての宝石２０（例えばダイヤモンド）がリング１２，１３の外周面に埋め込まれている。宝石２０が埋め込まれた部分が４日の月曜日であることは、その前後に刻印された日及び曜日から推測することができる。
【００１１】
このように、本実施例に係るアクセサリー１０は、ひと月分の日及び曜日を表す文字及び数字から成るカレンダー表示１８がアクセサリー本体１２の外周面に設けられているため、カレンダーとして利用することができる。また、リング１２，１３の外周面全体に刻印した多数の文字や数字によりアクセサリー１０の意匠性、装飾性を高めることができる。さらに、カレンダー表示１８のうち特定日に対応する部分に宝石２０を埋め込んだことにより、特定日を目立たせることができ、アクセサリー１０の記念品としての価値や装飾性を一層高めることができる。
【００１２】
図２は本考案の第２の実施例に係るアクセサリー１０を示している。本実施例のアクセサリー本体１４は、鎖２１で連結された大小２個のキューブ（立方体状部材）２２，２３から構成されている。大きなキューブ２２の外面の一面には９月の日及び曜日を表す数字及び文字が刻印されている。小さなキューブ２３の外面の一面には９月の英語表記「SEPTEMBER」が刻印され、他の一面には宝石２４が埋め込まれている。また、図示しないが小さなキューブ２２の別の一面には年を表す数字「２００６」が刻印されている。このように、本実施例では、カレンダー表示１８は２個のキューブ２１，２２の外面に分かれて設けられている。
【００１３】
また、前記カレンダー表示１８のうち特定日である４日を示す数字「４」は、その他の数字よりも太字となっている。このように、特定日を他の日とは異なる数字で表したことにより、特定日を目立たせることができる。
【００１４】
図３は本考案の第３の実施例に係るアクセサリー１０を示している。本実施例のアクセサリー本体１４は円柱状をなしており、その上端面には係止穴３１が設けられている。係止穴３１にはチェーン１６が挿通されている。
アクセサリー本体１４の外周面にはカレンダー表示１８が設けられている。前記カレンダー表示１８は、上部の曜日表示部３２、真ん中の日にち表示部３３、下部の装飾部３４から構成されている。曜日表示部３２には、金曜から木曜までの１週間分の曜日及び金曜日から水曜日まで曜日を表す文字が周方向に並んだ状態で刻印されている。
【００１５】
日にち表示部３３には、ひと月分の日にちを表す数字が、１週間分ずつ一組にして縦方向に配列表示されている。装飾部３４には宝石３５が埋め込まれている。
日にち表示部３３は円環状の部材からなり、その内部には中心軸部（図示せず）が挿通されている。中心軸部の上下両端部には、それぞれ曜日表示部３２と装飾部３４とが固定されている。日にち表示部２３は、中心軸部に沿って回動させることができる。このような構成により、曜日表示部３２の曜日と日にち表示部３３の日にちを適宜に組み合わせて、所望する月のカレンダーを簡単に表示できるようになっている。このため、本実施例のアクセサリー１０は、万年カレンダーとして利用することができ、ひと月分のカレンダー表示を設けた場合に比べて、一層、有用となる。
【００１６】
尚、本考案は上記した実施例に限定されるものではなく、例えば次のような変形が可能である。
本考案は、ペンダント以外のアクセサリー、例えばネックレスや指輪等にも適用できる。アクセサリー本体の表面に設けるカレンダー表示はひと月分の日付に限らず、複数月分の日付から構成しても良い。表示する月数は、アクセサリーの表面積の大きさに応じて決定すると良い。カレンダー表示に含まれる月数が多いほど、カレンダーとして有用な期間が長くなる。
【００１７】
曜日や日を表す文字は、数字、アルファベットに限らず、漢字やその他の文字にしても良い。
特定日は、他の日と異なる書体や大きさ、異なる種類の文字を用いて表示しても良い。
特定日に埋め込む装飾部材は、宝石に限らず金や銀等の貴金属類、真珠、ガラス玉といった装飾性を有するものであれば良い。また、特定日に埋め込む装飾部材としては、特定日や特定日を含む月と関連性を有するものを選択すると、記念品としての商品価値を高めることができる。特定日や特定日を含む月と関連性を有する装飾部材の例としては、誕生石が挙げられる。
【図面の簡単な説明】
【００１８】
【図１】本考案の第１の実施例であるカレンダー付きアクセサリーを示す図
【図２】本考案の第２の実施例に係るアクセサリー本体を示す図
【図３】本考案の第３の実施例である図１相当図
【符号の説明】
【００１９】
１０…アクセサリー
１２，１３…リング（環状部材）
１４…アクセサリー本体
１８…カレンダー表示
２０…宝石（装飾部材）
２１…鎖
２２，２３…キューブ（立方体状部材）
３２…曜日表示部
３３…日にち表示部
【図１】
0003129247.tif 000003
【図２】
0003129247.tif 000004
【図３】
0003129247.tif 000005
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
a)アクセサリー本体と、
b)前記アクセサリー本体の表面に設けられ、少なくともひと月分の日及び曜日を表す文字又は／及び数字から成るカレンダー表示と、
を備え、
前記アクセサリー本体は円柱状を成し、前記アクセサリー本体の外周面にカレンダー表示が設けられていることを特徴とするアクセサリー。
【請求項２】
前記カレンダー表示は、円環状の曜日表示部及び前記曜日表示部の下部又は上部に位置し前記曜日表示部に対して相対的に回動可能な円環状の日にち表示部から構成され、
前記曜日表示部には曜日が横一列に並べて表示され、前記日にち表示部にはひと月分の日にちを１週間分ずつ一組にして配列表示されていることを特徴とする請求項１に記載のアクセサリー。
【請求項３】
a)アクセサリー本体と、
b)前記アクセサリー本体の表面に設けられ、少なくともひと月分の日及び曜日を表す文字又は／及び数字から成るカレンダー表示と、
を備え、
前記アクセサリー本体は連結された２個の環状部材から構成され、前記環状部材の少なくとも一方の外周面に前記カレンダー表示が設けられていることを特徴とするアクセサリー。
【請求項４】
a)アクセサリー本体と、
b)前記アクセサリー本体の表面に設けられ、少なくともひと月分の日及び曜日を表す文字又は／及び数字から成るカレンダー表示と、
を備え、
前記アクセサリー本体は、鎖で連結された２個の立方体状部材から構成され、前記立方体状部材の少なくとも一方の外面に前記カレンダー表示が設けられていることを特徴とするアクセサリー。
【請求項５】
前記カレンダー表示は、特定日を含む月の日及び曜日を表す複数の文字又は／及び数字から構成され、前記特定日には他の日と異なる文字又は／及び数字が用いられていることを特徴とする請求項１ないし４のいずれかに記載のアクセサリー。
【請求項６】
前記カレンダー表示は、特定日を含む月の日及び曜日を表す複数の文字又は／及び数字から構成され、前記特定日には装飾部材が用いられていることを特徴とする請求項１ないし４のいずれかに記載のアクセサリー。